(57)【要約】【課題】キャスターバッグに簡単な付属物を取付けることによって、床面や地面では、キャスターとハンドルを利用してバッグを引っ張るという本来の操作性に加えて、階段等では、臨機応変に肩から吊るして運搬することができるキャスターバッグを提供すること。【解決手段】ほぼ直方体形状のバッグ本体の底面部にキャスターが、上面部に伸縮自在のハンドルが取付けられているキャスターバッグにおいて、該バッグ本体の上面部及び／又は側面部に、収納伸縮自在のショルダーベルトが取り付けられているショルダーベルト付キャスターバッグ。【選択図】図３
2010155011.tif 000002
【特許請求の範囲】
【請求項１】
ほぼ直方体形状のバッグ本体の底面部にキャスターが、上面部に伸縮自在のハンドルが取付けられているキャスターバッグにおいて、該バッグ本体の上面部及び／又は側面部に、収納伸縮自在のショルダーベルトが取り付けられていることを特徴とするショルダーベルト付キャスターバッグ。
【請求項２】
収納伸縮自在のショルダーベルトは、使用されないときには収納部に収納され、弛みや垂れ下がりを生じないように構成されていることを特徴とする請求項１記載のショルダーベルト付キャスターバッグ。
【請求項３】
ショルダーベルトのベルトが肩に当たる部分には、肩当てが配置されていることを特徴とする請求項１又は２記載のショルダーベルト付キャスターバッグ。
【発明の詳細な説明】
【技術分野】
【０００１】
本発明は、バッグ本体にキャスター（車輪）とハンドル（引き手）が付いた、床面や地面を引っ張って移動できるいわゆるキャスターバッグに関する。
【背景技術】
【０００２】
キャスターバッグは、航空機の機内持込が可能なバッグとして利用されるだけでなく、その他の交通機関を利用する旅行においても、あるいは比較的重い物の運搬のために日常生活でもよく用いられている。しかしながら、かかるキャスターバッグは、階段等の段差のある場所を移動する際には、バッグの上面部又は側面部に設けられている取っ手を直接持って、バッグ自体を持ち上げて運ばなければならないという欠点がある。
【０００３】
上記問題を解決するために、キャスターバッグの伸縮式のハンドルのシャフト部分に、底面に車輪が付いたソリ状の構造物等を設けたもの（特許文献１と特許文献２）、あるいは、
必要に応じてキャスターバッグを背負うことができるように、バッグ本体の後面に背負帯を設けたもの（特許文献３）等が提案されている。しかしながら、特許文献１又は２のものは、構造的に複雑で製造コストが高くなり、また、特許文献３のものでは、例えば、駅の階段等を上り下りする場合に、臨機応変性に欠けるという問題がある。
【先行技術文献】
【特許文献】
【０００４】
【特許文献１】特開２００７−１３６１１１号公報
【特許文献２】特開２００８−１６８７７２号公報
【特許文献３】実用新案登録第３０６７５３０号公報
【発明の概要】
【発明が解決しようとする課題】
【０００５】
本発明の課題は、キャスターバッグに簡単な付属物を取付けることによって、床面や地面では、キャスターとハンドルを利用してバッグを引っ張るという本来の操作性に加えて、
階段等では、臨機応変に肩から吊るして運搬することができるキャスターバッグを提供することにある。
【課題を解決するための手段】
【０００６】
本発明において請求項１に記載された発明は、ほぼ直方体形状のバッグ本体の底面部にキャスターが、上面部に伸縮自在のハンドルが取付けられているキャスターバッグにおいて、該バッグ本体の上面部及び／又は側面部に、収納伸縮自在のショルダーベルトが取り付けられていることを特徴とするショルダーベルト付キャスターバッグである。
【０００７】
請求項２に記載された発明は、収納伸縮自在のショルダーベルトが、使用されないときには収納部に収納され、弛みや垂れ下がりを生じないように構成されていることを特徴とする請求項１記載のショルダーベルト付キャスターバッグである。
【０００８】
そして、本発明の請求項３に記載された発明は、ショルダーベルトのベルトが肩に当たる部分には、肩当てが配置されていることを特徴とする請求項１又は２記載のショルダーベルト付キャスターバッグである。
【発明の効果】
【０００９】
平坦な場所やスロープのついた場所では、キャスターバッグの底に付いている２個又は４個のキャスターが非常に便利であるが、しかし、階段、段差のある場所では、キャスターは役立たず、例外なくキャスターバッグごと持ち上げるしか方法はない。これに対し、本発明のものは、キャスターバッグに収納伸縮自在のショルダーベルトが取り付けられているので、階段等では、ショルダーベルトを引き出して肩に掛け、バッグを運ぶことができる。そして、少々の階段なら、例え背中に子供や他の荷物を背負っていても、そのままショルダーベルトを肩にかけて昇り降りが可能となる。
【図面の簡単な説明】
【００１０】
【図１】図１は、本発明のショルダーベルト付キャスターバッグを正面から見た状態の概略図。
【図２】図２は、図１のショルダーベルト付キャスターバッグにおいて、伸縮自在のハンドル３を縮めて収納した状態を示す図である。
【図３】図３は、図２のショルダーベルト付キャスターバッグにおいて、ショルダーベルト４を引き伸ばした状態を示す図である。
【図４】図４は、バッグ本体の左右の両側面部に、ショルダーベルトの収納部をそれぞれ一つずつ配置した場合で、ショルダーベルト４を、バッグの蓋の開封防止用の巻き付けバンドとして利用している状態を示す図である。
【発明を実施するための形態】
【００１１】
本発明は、ほぼ直方体形状のバッグ本体の底面部にキャスターが、上面部に伸縮自在のハンドル（引き手）が取付けられているキャスターバッグにおいて、該バッグ本体の上面部及び／又は側面部に、収納伸縮自在のショルダーベルトが取付けられているものである。
本発明において、キャスターバッグの部分は、従来市販されているものと、その機能、材質、形状は基本的に同じである。バッグはほぼ直方体形状、即ち、厳密に直方体である必要はなくバッグとして機能する箱型のものであればよい。材質についても制限はない。キャスターの材質、形態、数等も特に制限されるものではない。ハンドル自体も伸縮自在であれば、どのような形式のものでもよい。
【００１２】
本発明は、前記のような従来のキャスターバッグの、バッグ本体の上面部及び／又は側面部に、収納伸縮自在のショルダーベルトが取付けられていることを特徴とするものである。側面部に取付ける場合は、片側面部に取付けてもよく、あるいは両側面部に収納部をそれぞれ一つずつ配置してもよい。後者の場合には、ショルダーベルトは、バッグの蓋の開封防止用の巻き付けバンドとしても利用できる（図４参照）。ショルダーベルトは、自由に長さが調節できる機能を備えているものが好ましい。ショルダーベルトは、収納伸縮自在であるから、使用されないときには収納部に収納され、弛みや垂れ下がりを生じないように構成されている。また、ベルトが肩に当たる部分には、肩の負担を軽減するためにパット等の肩当てを備えるようにしておくのも好ましい。
【００１３】
具体的には、収納伸縮自在のショルダーベルトは、例えば、自動車のシートベルト方式、掃除機の自動巻きリール方式、ワンタッチコネクターを使用する方式等を利用して、ベルトの両端にストッパーを付けて、バッグ本体の上面部及び／又は側面部に取り付ければよい。例えば、バッグ本体の上面部にショルダーベルトを取付ける場合には、ショルダーベルトの両端にスプリングを付け、バッグ本体の上面部の両端に収納部を設け、ショルダーベルトを使用するときは引き伸ばして使い、使用しないときは、スプリングの作用で収納部に引き込まれるようにすればよい。
【００１４】
以下、図面を用いて本発明を説明する。以下の図１〜３では、収納伸縮自在のショルダーベルトがバッグ本体の上面部に取付けられている例を、図４では両側面部に亘って取付けられている例を説明する。
【００１５】
図１は、本発明のショルダーベルト付キャスターバッグを正面から見た状態の概略図である。１はバッグ本体、２はキャスター、３は伸縮自在のハンドル（引き手）、４は収納された状態のショルダーベルトを示す。収納部はバッグ本体の側面部内部に設けられているが（図示せず）、側面部にケース状のものを設けてもよい。また、図には示さなかったが、バッグ本体１の上面部及び／又は側面部には、取っ手が付いていてもよい。図２は、図１のショルダーベルト付キャスターバッグにおいて、伸縮自在のハンドル３を縮めて収納した状態を示している。図３は、図２のショルダーベルト付キャスターバッグにおいて、ショルダーベルト４を引き伸ばした状態を示している。５は肩当てである。
【００１６】
図４は、バッグ本体の左右の両側面部に、ショルダーベルトの収納部をそれぞれ一つずつ配置した場合（収納部は図示せず）で、ショルダーベルト４を、バッグの蓋の開封防止用の巻き付けバンドとして利用している状態を示している。階段等では、ショルダーベルト４を肩に掛けてバッグを持ち運ぶことができる。図４の場合には、ショルダーベルトの肩当てのある部分にワンタッチコネクターを取り付けておき、ショルダーベルトを使用しないときはコネクターを開錠し、二つに分離したショルダーベルトがスプリングの作用でそれぞれ左右の収納部に引き込まれるようにすればよい。
【符号の説明】
【００１７】
１  バッグ本体
２  キャスター
３  伸縮自在のハンドル（引き手）
４  ショルダーベルト
５  肩当て
【図１】
2010155011.tif 000003
【図２】
2010155011.tif 000004
【図３】
2010155011.tif 000005
【図４】
2010155011.tif 000006